(57)【要約】【課題】  オプション部材を、安定よく、確実に取り付けることができるとともに、クッション体や表皮材の切り口部分が外部に露呈することがなく、また、オプション部材取付部の後端面と表皮材との間の段差を小さくすることができ、外観をよくすることができるようにした椅子の背凭れ装置を提供する。【解決手段】  背板５の後面を、クッション体６と表皮材７とにより覆った椅子の背凭れ４に、オプション部材取付部２３を形成した椅子の背凭れ装置において、背板５の後面に、オプション部材取付部２３をなす突出部８を設け、この突出部８を、クッション体６を切除した開口６ａより後方に露呈させ、突出部８の後部に表皮材７を止着し、さらにその後方より、オプション部材であるハンガー装置２７等を取り付けるようにする。【選択図】        図５
2010158270.tif 000002
【特許請求の範囲】
【請求項１】
背板の後面を、クッション体と表皮材とにより覆った椅子の背凭れに、オプション部材取付部を形成した椅子の背凭れ装置において、
前記背板の後面に、オプション部材取付部をなす突出部を設け、この突出部を、クッション体を切除した部分より後方に露呈させ、突出部の後部に表皮材を止着し、さらにその後方より、オプション部材を取り付けるようにしたことを特徴とする椅子の背凭れ装置。
【請求項２】
背板の後面を、クッション体と表皮材とにより覆った椅子の背凭れに、オプション部材取付部を形成した椅子の背凭れ装置において、
前記オプション部材取付部を、背板の後面に一体的に形成した後方を向く突出部と、この突出部の少なくとも後部の外周縁を覆う針刺可能部材とをもって構成し、前記オプション部材取付部を、クッション体を切除した部分より後方に露呈させ、前記針刺可能部材の後部に表皮材を、有針止着手段をもって止着し、さらにその後方より、オプション部材を取り付けるようにしたことを特徴とする椅子の背凭れ装置。
【請求項３】
針刺可能部材を、突出部に着脱自在に嵌合される筒状のものとした請求項２記載の椅子の背凭れ装置。
【請求項４】
表皮材におけるオプション部材取付部の後面との対向部に開口を設け、この開口の縁部を、オプション部材取付部の後面に止着した請求項１〜３のいずれかに記載の椅子の背凭れ装置。
【請求項５】
オプション部材取付部の後面の縁部に、そこに止着された表皮材の止着部分を覆うように、縁材を取り付け、この縁材に、いずれかのオプション部材に設けた係合部が係合する被係合部を設けた請求項１〜４のいずれかに記載の椅子の背凭れ装置。
【請求項６】
オプション部材を、縁材内に嵌合され、かつ前面に縁材の被係合部に係合する係合部を有するネームプレートとした請求項５記載の椅子の背凭れ装置。
【請求項７】
オプション部材取付部の後面に前方を向く凹部を設け、この凹部に、いずれかのオプション部材における前向突部を嵌合し、かつこの前向突部を前記凹部の奥端面にねじ止めするようにした請求項１〜５のいずれかに記載の椅子の背凭れ装置。
【請求項８】
オプション部材を、オプション部材取付部に取り付けた保持手段により、ハンガーを高さ調節可能として保持するようにしたハンガー装置とした請求項１〜５のいずれか、または７記載の椅子の背凭れ装置。
【発明の詳細な説明】
【技術分野】
【０００１】
本発明は、椅子の背凭れに、ハンガー等のオプション部材を取り付けるための取付部を形成した椅子の背凭れ装置に関する。
【背景技術】
【０００２】
椅子の背凭れに、ハンガーやネームプレート等のオプション部材を取り付けたものは公知である（例えば特許文献１または２参照）。
従来のこの種の椅子の背凭れ装置は、背板の後面がクッション体や表皮材により覆われておらず、硬質の背板の後面が露呈しており、そこにオプション部材の取付部を設けてあるのが一般的である。
【特許文献１】特開２００５−２４５８６５号公報
【特許文献２】特許第４１６０３６８号公報
【発明の開示】
【発明が解決しようとする課題】
【０００３】
しかし、背板の後面が、クッション体と表皮材とにより覆われている背凭れの後面に、オプション部材取付部を形成する場合、クッション体と表皮材との一部を切除して、そこにオプション部材取付部を形成するか、オプション部材を取り付ける取付部材と背板との間に、クッション体と表皮材とを挟んで、取付部材を背板にねじ止めするかしなければならない。
【０００４】
前者の場合、切除したクッション体や表皮材の切り口部分が外部に露呈すると見苦しく、またそれをカバー部材等により覆っただけでは、表皮材に引張力が作用したとき、その切り口がカバーからはみ出し、やはり外観を損なうおそれがある。
【０００５】
後者の場合、背板と取付部材との間にクッション体と表皮材とが挟まれるため、取付部材の支持が不安定になり、また取付部材の周囲のクッション体と表皮材とが凹入して、その中央から取付部材が後方に突出し、表皮材と取付部材の後面との段差が強調されて、体裁が悪いという問題がある。
【０００６】
本発明は、このような問題点に鑑み、オプション部材を、安定よく、確実に取り付けることができるとともに、クッション体や表皮材の切り口部分が外部に露呈することがなく、また、オプション部材取付部の後端面と表皮材との間の段差を小さくして、外観をよくすることができるようにした椅子の背凭れ装置を提供とすることを目的としている。
【課題を解決するための手段】
【０００７】
本発明によると、上記課題は、次のようにして解決される。
(１)  背板の後面を、クッション体と表皮材とにより覆った椅子の背凭れに、オプション部材取付部を形成した椅子の背凭れ装置において、前記背板の後面に、オプション部材取付部をなす突出部を設け、この突出部を、クッション体を切除した部分より後方に露呈させ、突出部の後部に表皮材を止着し、さらにその後方より、オプション部材を取り付けるようにする。
【０００８】
このような構成とすると、オプション部材を、クッション体を介在させることなく、オプション部材取付部を介して、背板に安定よく、確実に取り付けることができるとともに、クッション体や表皮材の切り口部分が外部に露呈することがなく、また、オプション部材取付部の後端面と表皮材との間の段差を小さくすることができ、外観をよくすることができる。
【０００９】
(２)  背板の後面を、クッション体と表皮材とにより覆った椅子の背凭れに、オプション部材取付部を形成した椅子の背凭れ装置において、前記オプション部材取付部を、背板の後面に一体的に形成した後方を向く突出部と、この突出部の少なくとも後部の外周縁を覆う針刺可能部材とをもって構成し、前記オプション部材取付部を、クッション体を切除した部分より後方に露呈させ、前記針刺可能部材の後部に表皮材を、有針止着手段をもって止着し、さらにその後方より、オプション部材を取り付けるようにする。
【００１０】
このような構成とすると、上記(１)項の解決手段の効果と同様の効果を奏することができるだけでなく、突出部を、硬質材料により、背板と一体的に形成することができ、また突出部の少なくとも後部の外周縁を覆う針刺可能部材に、表皮材をタッカー止め等の有針止着手段により、簡単に止着することができる。
【００１１】
(３)  上記(２)項において、針刺可能部材を、突出部に着脱自在に嵌合される筒状のものとする。
【００１２】
このような構成とすると、針刺可能部材を、突出部に簡単に装着することができ、組み付け作業効率を高めることができる。
【００１３】
(４)  上記(１)〜(３)項のいずれかにおいて、表皮材におけるオプション部材取付部の後面との対向部に開口を設け、この開口の縁部を、オプション部材取付部の後面に止着する。
【００１４】
このような構成とすると、オプション部材を、クッション体だけでなく、表皮材をも介在させることなく、オプション部材取付部を介して、背板に安定よく、確実に取り付けることができるとともに、クッション体や表皮材の切り口部分が外部に露呈することがないように、表皮材の切り口の縁部を、突出部の後面に確実に止着することができる。
【００１５】
(５)  上記(１)〜(４)項のいずれかにおいて、オプション部材取付部の後面の縁部に、そこに止着された表皮材の止着部分を覆うように、縁材を取り付け、この縁材に、いずれかのオプション部材に設けた係合部が係合する被係合部を設ける。
【００１６】
このような構成とすると、オプション部材取付部の後面への表皮材の止着部分を縁材により覆って、表皮材の切り口部分が外部に露呈しないようにすることができるとともに、この縁材の被係合部に、オプション部材の係合部を係合させることにより、オプション部材を、突出部に簡単に取り付けることができる。
【００１７】
(６)  上記(５)項において、オプション部材を、縁材内に嵌合され、かつ前面に縁材の被係合部に係合する係合部を有するネームプレートとする。
【００１８】
このような構成とすると、オプション部材であるネームプレートを、簡単かつ迅速に、突出部に取り付けることができる。
【００１９】
(７)  上記(１)〜(６)項のいずれかにおいて、オプション部材取付部の後面に前方を向く凹部を設け、この凹部に、いずれかのオプション部材における前向突部を嵌合し、かつこの前向突部を前記凹部の奥端面にねじ止めする。
【００２０】
このような構成とすると、大型で重量のあるオプション部材でも、強力に、安定よく、背板に取り付けることができる。
【００２１】
(８)  上記(１)〜(５)、または(７)項のいずれかにおいて、オプション部材を、オプション部材取付部に取り付けた保持手段により、ハンガーを高さ調節可能として保持するようにしたハンガー装置とする。
【００２２】
このような構成とすると、ハンガーを、高さ調節可能として、背凭れの後面に、安定よく、確実に取り付けることができる。
【発明の効果】
【００２３】
本発明によると、オプション部材を、安定よく、確実に取り付けることができるとともに、クッション体や表皮材の切り口部分が外部に露呈することがなく、また、オプション部材取付部の後端面と表皮材との間の段差を小さくして、外観をよくするようにした椅子の背凭れ装置を提供することができる。
【発明を実施するための最良の形態】
【００２４】
以下、本発明の一実施形態を、図面に基づいて説明する。
図１は、本発明の背凭れ装置の一実施形態を備える椅子の側面図、図２は、同じく背面図である。
この椅子は、脚１の上端に設けた支基２に、座３と背凭れ４とを取り付け、背凭れ４が後傾すると、座３が後下方に向かって傾動するようになっている。
【００２５】
背凭れ４は、図４および図５に示すように、硬質合成樹脂製の背板５と、その前後面を覆うクッション体６と、さらにその外表面を覆う表皮材７とからなっている。
【００２６】
図３に示すように、背板５の上部後面の中央には、左右方向に長い長円形の筒状の突出部８が、背板５と一体的に形成されており、この突出部８は、背板５の後面側のクッション体６および表皮材７の上部中央を切除して形成した開口６ａ、７ａより後方に露呈している。
【００２７】
この突出部８は、中央部に後方を向くボス９を備え、その後面中央より、前方を向くねじ孔(または下孔)１０が設けられている。突出部８の後面におけるボス９の両側部には、前方を向く左右１対の凹部１１、１１が形成され、各凹部１１の前端面には、図５に示すように、ねじ孔(または下孔)１２が設けられている。
【００２８】
突出部８の後端部外周面には、環状の凹入段部１３が設けられており、同じく後端部両側部には、外側方を向く方形の切欠き１４が、さらに、突出部８の前端部両側には、外側方を向く方形の係合孔１５が設けられている。
【００２９】
突出部８には、内周面が突出部８の外形とほぼ補形をなす横長筒状の針刺可能部材１６が外嵌されている。この針刺可能部材１６は、タッカー針等の針が刺さり、かつ簡単には抜けない程度の剛性を有する合成樹脂、その他の軟質材料により形成され、その後端部内周面には、突出部８の凹入段部１３に係合しうる環状の内向き突条１７が、また前端両側部には、前方を向き、かつ左右方向に弾性撓曲可能な左右１対の内向き係合爪１８(その一方のみを図示する)が設けられている。
【００３０】
針刺可能部材１６は、内向き突条１７が凹入段部１３に密嵌したとき、左右の内向き係合爪１８が各係合孔１５の後縁に係合するようにしておくことにより、突出部８に、簡単に、しかも上下、左右、および前後のいずれの方向にも、がたつくことなく確実に装着されるようになっている。
また、左右の内向き係合爪１８を外向きに弾性変形させて、係合孔１５の後縁から離脱させることにより、針刺可能部材１６を、突出部８から容易に外すこともできる。
【００３１】
内向き突条１７の後面は、針刺可能部材１６の後面より若干前方に凹入しており、その内向き突条１７の後面に、表皮材７における針刺可能部材１６の後面との対向部に設けられた開口７ａの縁部が、タッカー、またはその他の有針止着手段により止着されている。
クッション体６の開口６ａの縁部の厚さは、針刺可能部材１６を突出部８に装着したときの背板５から針刺可能部材１６の後端までの後方突出量とほぼ等しくするのが好ましい。
【００３２】
針刺可能部材１６における内向き突条１７の後面には、そこに止着された表皮材７の止着部分を覆うように、縁材１９が取り付けられている。
縁材１９は、針刺可能部材１６の後端の内面と補形をなす横長の枠状をなし、その左右方向の中間部には、上下方向を向く連結板２０が架設されている。また、縁材１９の内面における後端より若干前方寄りの部分には、複数の内向き突部２１が設けられている。
【００３３】
この縁材１９は、表皮材７の止着部分を、内向き突条１７の後面に向かって押圧するようにして、連結板２０の中央部を、突出部８におけるボス９のねじ孔１０に螺合する固定ねじ(タッピングねじ)２２(図４および図６参照)をもって止着することにより、突出部８に固着されている。
【００３４】
上記の構成のうち、突出部８と針刺可能部材１６とにより、オプション部材取付部(以下単に取付部という)２３が形成され、また背凭れ４、取付部２３、縁材１９、および後述するオプション部材等により、本発明の背凭れ装置が形成されている。
【００３５】
図３および図７に示すように、オプション部材の一つであるネームプレート２４は、縁材１９の内面形状と補形をなす表面板２５と、その前面より前方に向かって突出し、かつ左右方向に弾性撓曲可能な左右１対の外向き係合爪１８とを有している。
【００３６】
表面板２５の後面には、社名や商標が付されており、この表面板２５を、縁材１９内に後方より嵌合し、前面が縁材１９の内向き突部２１に当接したとき、係合部である左右の外向き係合爪２６が、被係合部である縁材１９の前縁に係合するとともに、後面が縁材１９の後面と整合するようにすることによって、ネームプレート２４は、縁材１９に安定よく確実に装着される。
因みに、突出部８における切欠き１４は、外向き係合爪２６が、縁材１９の前縁に係合したときに、突出部８と干渉しないようにするためのものである。
【００３７】
図３〜図６に示すように、オプション部材の一つであるハンガー装置２７は、保持手段２８により、ハンガー２９を高さ調節可能として保持するようにしたもので、保持手段２８は、側面視コ字状をなして前方に向かって突出する左右１対の前向突部３０ａ、３０ａを有する取付板３０を備えている。
このハンガー装置２７は、上述の特許文献１に記載されているものと同一のものであり、その内部構造は、本発明には直接関係しないので、その詳細な説明は省略する。
【００３８】
このハンガー装置２７は、ネームプレート２４に代えて、取付板３０の左右の前向突部３０ａ、３０ａを、縁材１９の後方より、その連結板２０の両側方の空間を通して、突出部８の左右の凹部１１、１１に嵌合し、かつ各前向突部３０ａの後端部を、ねじ孔１２に螺合する固定ねじ(タッピングねじ)３１(図５および図６参照)をもって、凹部１１の奥端面に固着することにより、取付部２３に強固に安定よく装着される。
【００３９】
なお、この実施形態においては、ハンガー装置２７を取付部２３に取り付ける際に、取付部２３から外したネームプレート２４を、保持手段２８の後面に装着しうるようにしてあり、それによって、ネームプレート２４の紛失を防止しうるようにしてある。
【００４０】
この実施形態は以上のような構成としてあるので、オプション部材であるネームプレート２４またはハンガー装置２７を、クッション体６を介在させることなく、オプション部材取付部２３を介して、背板５に安定よく、確実に取り付けることができるとともに、クッション体６や表皮材７の切り口部分が外部に露呈することがなく、また、オプション部材取付部２３の後端面と表皮材７との間の段差を小さくすることができ、外観をよくすることができる。
【００４１】
なお、オプション部材としては、上述のネームプレート２４やハンガー装置２７の他に、例えば、後部座席の着席者のためのカップホルダーや小型の折り畳みテーブル等とすることもある。
【００４２】
本発明は、上記実施形態のみに制限されるものではなく、幾多の変形した態様での実施が可能である。
例えば、突出部８自体を、針刺可能の材料により形成した場合は、針刺可能部材１６を省略し、突出部８の後部に、表皮材７を、有針止着手段により止着すればよい。
また、針刺可能部材１６を、突出部８の後端に一体的に形成してもよい。
さらに、縁材１９を省略して、オプション部材を取付部２３の後部に直接取り付けてもよい。
【図面の簡単な説明】
【００４３】
【図１】本発明の背凭れ装置の一実施形態を備える椅子の側面図である。
【図２】同じく、背面図である。
【図３】クッション体と表皮材とを省略した要部の分解斜視図である。
【図４】図２におけるIV−IV線に沿う拡大縦断側面図である。
【図５】図２におけるV−V線に沿う拡大縦断側面図である。
【図６】図２におけるVI−VI線に沿う拡大横断平面図である。
【図７】オプション部材取付部に、ハンガー装置に代えて、ネームプレートを装着したときの、図６と同様の横断平面図である。
【符号の説明】
【００４４】
１  脚
２  支基
３  座
４  背凭れ
５  背板
６  クッション体
６ａ開口
７  表皮材
７ａ開口
８  突出部
９  ボス
１０  ねじ孔(下孔)
１１  凹部
１２  ねじ孔(下孔)
１３  凹入段部
１４  切欠き
１５  係合孔
１６  針刺可能部材
１７  内向き突条
１８  内向き係合爪
１９  縁材
２０  連結板
２１  内向き突部
２２  固定ねじ(タッピングねじ)
２３  オプション部材取付部
２４  ネームプレート(オプション部材)
２５  表面板
２６  外向き係合爪
２７  ハンガー装置(オプション部材)
２８  保持手段
２９  ハンガー
３０  取付板
３０ａ前向突部
３１  固定ねじ(タッピングねじ)
【図１】
2010158270.tif 000003
【図２】
2010158270.tif 000004
【図３】
2010158270.tif 000005
【図４】
2010158270.tif 000006
【図５】
2010158270.tif 000007
【図６】
2010158270.tif 000008
【図７】
2010158270.tif 000009